(57)【要約】【課題】遊技の進行に伴う振動や温度の微妙な変化により、時に異なる視覚的効果を発揮させる。【解決手段】全部又は一部を透明とした基板材料の前面側遊技面２００に遊技球と干渉する遊技部品を突設させ、背面側に設ける装飾面２３０を遊技面２００から視認可能としたものにおいて、遊技面２００と装飾面２３０との間に、内部に油等の液体Ｑを封入した透明な中空板層２Ｂを設けた。遊技の進行に伴う振動や温度の微妙な変化により、中空板層２Ｂに封入した液体Ｑが内部で流動したり、時間経過等に伴い周囲の明るさや液体Ｑへの入射光が変化し、部分的に虹色がかって見えたりする等の装飾的効果を上げた。【選択図】図３
2005192756.tif 000002
【特許請求の範囲】
【請求項１】
全部又は一部を透明とした基板材料の前面側遊技面に遊技球と干渉する遊技部品を突設させ、背面側に設ける装飾面を前記遊技面から視認可能とした弾球遊技機の遊技盤装置において、
前記遊技面と前記装飾面との間に、内部に液体を封入した透明な中空板層を設けたことを特徴とする弾球遊技機の遊技盤装置。
【請求項２】
遊技部品を突設させた部品板層を、前記中空板層の構成部材と別体に設けている請求項１記載の弾球遊技機の遊技盤装置。
【発明の詳細な説明】
【技術分野】
【０００１】
本発明は、パチンコ遊技機、アレンジボール遊技機、じゃん球遊技機等の弾球遊技機の遊技盤装置に関する。
【背景技術】
【０００２】
従来、特許文献１記載のように、遊技盤基板を透明樹脂板で形成し、その裏面にキャラクタやロゴ、背景等を描いた印刷画を貼り合わせ、印刷画による線画の繊細さに加え、遊技釘の突設による線画の途切れ等をなくし、木製合板の表にセル画を貼った汎用の遊技盤では得られない独特の装飾的効果を得る提案がされている。
【特許文献１】特開２００１−１７０２８５号公報
【発明の開示】
【発明が解決しようとする課題】
【０００３】
しかし、上記提案のものも、透明樹脂板を透かして見せる印刷画は、常時変化のない固定的・画一的な視覚的刺激を付与できるに止まり、顕著な装飾的効果を上げるのには限界があった。
【０００４】
本発明では、遊技の進行に伴う振動や温度の微妙な変化等により、時に異なる視覚的効果を発揮できる弾球遊技機の遊技盤装置を提供することを課題とする。
【課題を解決するための手段】
【０００５】
請求項１記載の発明は、上記課題を解決するため、図３に例示するように、  全部又は一部を透明とした基板材料の前面側遊技面２００に遊技球と干渉する遊技部品を突設させ、背面側に設ける装飾面２３０を前記遊技面２００から視認可能とした弾球遊技機の遊技盤装置において、前記遊技面２００と前記装飾面２３０との間に、内部に液体Ｑを封入した透明な中空板層２Ｂを設けた。
【０００６】
請求項２記載の発明は、さらに機種変更等の利便性をも高めるため、遊技部品を突設させた部品板層２Ａを、前記中空板層２Ｂの構成部材と別体に設けた。
【発明の効果】
【０００７】
請求項１記載の発明によれば、遊技の進行に伴う振動や温度の微妙な変化により、中空板層２Ｂに封入した液体Ｑが内部で流動することがある。また、時間の経過に伴い、周囲の明るさや液体への入射光が変化することがある。これら中空板層２Ｂの内部及び又は外部の状況変化により、例えば、液体Ｑでの光の屈折及び反射によるプリズム的な効果が時として目立ち、部分的に虹色がかって見えたりする等、遊技面２００の前方から液体Ｑを透かして見る背面側の装飾面２３０が時に違ったように見えることがある。このような視覚的刺激の変化により装飾的効果を高めることができる。
【０００８】
請求項２記載の発明によれば、部品板層２Ａに突設する釘等の配置や部品を変更しても、後ろ側の中空板層２Ｂ及び装飾面２３０を変更することなく用いることができ、構成部材の共用化が図られる。また、同じ部品板層２Ａを用いるとしても、後ろ側の中空板層２Ｂ及び又は装飾面２３０を変更することにより、封入液体Ｑと装飾面２３０との組合わせによる透かし絵等を容易に変更することができる。
【発明を実施するための最良の形態】
【０００９】
図１は、本発明を具備するパチンコ遊技機１であり、遊技枠１０に本体１１を開扉可能に支持している。本体１１の前面上部には、丸窓１２にガラス１３を嵌めたフロント扉１４を有し、その内方に本発明遊技盤装置２を備える。本体１１の前面下部には、貸球及び賞球を受止める受皿３、遊技球を打出す発射装置４０の発射ハンドル４、効果音等を出音する左右スピーカ５１，５２を備える。受皿３には、遊技機１に隣接して設置する図示しないカードユニットと連携して球貸しする球貸ボタン３１、カード返却ボタン３２等を備える。フロント扉１４には、飾りランプ６１，６２、飾りＬＥＤ６３，６４、賞球払出等の各種表示ランプ６５，６６を具備する。
【００１０】
図２に示すように、遊技盤装置２は透明な基板材料を主体に構成しており、前面側の部品板層２Ａには、遊技部品として欠くことのできない多数の釘２０を初め、入賞口その他の遊技球と干渉する各種遊技部品をその遊技面２００上に突設している。
【００１１】
すなわち、遊技領域を区画し発射装置４０により打出す球を導くガイドレール２１、大当たりの抽選結果を導出する液晶タイプ等の特別図柄表示装置７をもつセンター電飾ユニット２２、大当たり抽選及びこれに基づく特別図柄の変動を起動する電動チュー式普通電動役物９をもつ始動口電飾ユニット２３、大当たり時に開く特別電動役物の大入賞口８及び一般入賞口となる左右落し入賞口２４ａ，ｂをもつ大入賞口電飾ユニット２４、一般入賞口となる左右袖入賞口２５ａ，ｂ、左右ランプ風車２６ａ，ｂ及び通常風車２６ｃ，ｄ、左右盤面サイドランプ２７ａ，ｂを備える。また、電動チュー式普通電動役物９の開閉にかかる普通図柄表示装置９０を変動させるスイッチ付き球通過ゲート２８ａ、スイッチ無し球通過ゲート２８ｂを備え、遊技領域最下には入賞を逃したアウト球を排出するアウト口２９を備える。尚、２１ａは球戻り防止片、２１ｂは球ストッパーである。
【００１２】
特別図柄表示装置７に特別図柄の三つ揃いが導出され、大当たりが成立すると、大入賞口８は手前に開き、その１ラウンドの開放中に該大入賞口８への入賞数が上限の例えば９球に達するか、開放から例えば２５秒経過すると、一旦大入賞口８は閉じる。大入賞口８への入賞球が内部の特定領域を通過し所謂Ｖ入賞が検知されると、役物連続作動装置の作動状態となり、所定インターバルの後、再び大入賞口８が開く。Ｖ入賞がないか、最終の例えば１５ラウンドを経ると、一回の大当たり遊技が終わる。大入賞口８への入賞球一個当たりの賞球は例えば１５個としており、一回の大当たりにより２０００個前後の賞球の獲得が期待できる。特別図柄表示装置７の図柄変動中、大当たりの導出時、大当たり遊技中は、効果音と共に、フロント扉１４及び部品板層２Ａに具備する各種ランプや電飾ユニットの内蔵ランプが賑やかに点灯する。
【００１３】
図３に示すように、遊技盤装置２は、前記部品板層２Ａ、内部に液体を封入した透明な中空板層２Ｂ、その背後の装飾板層２Ｃの３層構造から成る。これら３層は密着状に積層され、フロント扉１４を開けた遊技機１の内部の遊技盤取付枠１５に着脱可能に支持している。取付枠１５の下２箇所及び上２箇所に設ける奥行き方向のスライド係止機構１６により、遊技盤装置２の取付け、保持及び取外しが良好に行えるようにしている。
【００１４】
図４は、部品板層２Ａの加工工程を示す。例えば、釘２０の打込み深さ１５．７ｍｍに１ｍｍ程度の余裕を見込んだ厚み１６．７ｍｍの矩形の透明樹脂板２Ａを用意する。高い透明性、優れた耐衝撃性及びヒンジ特性を有し、幅広い形成加工法を使用できることから、スチレン系透明樹脂等が好適材料である。その他、非晶性ポリエステル系樹脂、ポリカーボネイト、塩ビ等の透明材料でも代替できる。
【００１５】
次に、前記した遊技部品２０，２１，２２，２３・・・のうち、ランプ・電飾類をもつもの及び入賞口・アウト口に対応したものの取付等の穴２０２，２０３，２０４，２０５ａ，２０５ｂ，２０６ａ，２０６ｂ，２０７ａ，２０７ｂ，２０８ａ，２０９を開けると共に、機種名盤の貼付凹所２０１を成形加工する。続いて、釘２０以外の各遊技部品を取付け、最後に、自動釘打ち機により釘２０を打ち、完成させる。
【００１６】
図５は、中空板層２Ｂの加工工程を示す。４隅にアール２１１Ｒを付けた液溜凹所２１１、液注入連通口２１０ａ、空気抜き連通口２１０ｂ、部品板層２Ａ側の穴２０２・・・に連続する穴加工ランド２１２，２１３，２１４，２１５ａ，２１５ｂ，２１６ａ，２１６ｂ，２１７ａ，２１７ｂ，２１８ａ，２１９をもつ浅い箱部材２１０と、液注入口２２０ａ、空気抜き口２２０ｂをもつ平板状の蓋部材２２０を用意する。これらは部品板層２Ａと同じ透明樹脂材料から成る。これら箱部材２１０と蓋部材２２０とを、箱部材２１０の縁及び各ランド頂面に塗布するエポキシ樹脂系等の接着剤で接合する。
【００１７】
次に、液注入口２２０ａから液体Ｑを注入し、内部の空気を追い出して完全に液体Ｑで満たす。液体Ｑは、油が好ましい。特に、比重が僅かに異なる２種の油を封入するのが好ましい。油に代え、水でも良い。また、多少色の付いた液体でもよい。更に、液に粒子等を混合させてもよい。
【００１８】
液体Ｑの注入後、液注入口２２０ａ及び空気抜き口２２０ｂに栓２２１ａ，２２１ｂをし、各穴加工ランドに対応させて、蓋部材２２０及び箱部材２１０を貫通する貫通穴２２２，２２３，２２４，２２５ａ，２２５ｂ，２２６ａ，２２６ｂ，２２７ａ，２２７ｂ，２２８ａ，２２９を開ける。尚、空気抜き口２２０ｂは初めから設けなくてもよい。各貫通穴２２２，２２３・・・は、ランプ・電飾類のリード線を通すと共に、遊技球を裏機構側に導く通路として用いる。
【００１９】
図６は、装飾板層２Ｃの加工工程を示す。光沢印刷専用紙又はＯＨＰ等の半透明なシートにキャラクタ、ロゴ、背景等を印刷した装飾シート２３１、その表側の装飾面２３０にラミネートする透明極薄防護テープシート２３２、装飾面２３０の裏側の透明両面テープシート２３３及び裏機構側を隠す不透明なアクリル板等から成る遮蔽板２３４をサンドイッチして形成する。この後、中空板層２Ｂ側の貫通穴に対応させた抜き穴２５２，２５３，２５４，２５５ａ，２５５ｂ，２５６ａ，２５６ｂ，２５７ａ，２５７ｂ，２５８ａ，２５９を開ける。
【００２０】
以上形成した部品板層２Ａ、中空板層２Ｂ、装飾板層２Ｃは、密着状に積層されて遊技盤取付枠１５に取付けられる（図３）。そして、大当たりの導出時や、大当たり遊技時等における賑やかなランプ類の点灯演出や、遊技球の活発な転動に伴う振動の増加、液体Ｑの上層・下層間等での微妙な温度差による対流等により、液体Ｑを透かした装飾面２３０がアトランダムに虹色に輝く等、遊技者に与える視覚的刺激を変化できる。
【００２１】
尚、遊技盤装置２の側方に配置するエッジライトや、後方に配置するバックライト、液体Ｑの内部に向けて照射するスポットライトやレーザー等の外部光源類と組合わせて演出してもよい。また、電熱ヒータ等の強制対流源と組合わせて演出してもよい。
【図面の簡単な説明】
【００２２】
【図１】本発明遊技盤装置を具備するパチンコ遊技機の斜視図。
【図２】同遊技盤装置の正面図。
【図３】同遊技盤装置の分解斜視図。
【図４】同遊技盤装置の部品板層の加工図。
【図５】同遊技盤装置の中空板層の加工図。
【図６】同遊技盤装置の装飾板層の加工図。
【符号の説明】
【００２３】
２Ａ  部品板層、  ２Ｂ  中空板層、  ２Ｃ  装飾板層
２００  遊技面、装飾面２３０、Ｑ  液体
【図１】
2005192756.tif 000003
【図２】
2005192756.tif 000004
【図３】
2005192756.tif 000005
【図４】
2005192756.tif 000006
【図５】
2005192756.tif 000007
【図６】
2005192756.tif 000008